(57)【要約】【課題】枕を選択購入しようとする際に、個々に微細な差異を有する各個人々々の仰臥時の敷寝具と頭部，敷寝具と後頭部との間隔を、極めて簡便な手段で計測することを可能とする。また、この計測を各小売売場に配することが出来るようにすることも目的としている。【解決手段】水準器を有し、垂直状態に把持出来るスライダー取付け用支持体に、少なくとも２つの平行して水平方向に摺動自在に突出することを可能にしてスライダーを設け、該スライダーには、支持体からの突出量を確認することを可能にした計測マークを付してなる。そして、水準器としては、一端に重錘を垂下した糸条体の他端をスライダー取付用支持部材上の一点に固定し、前記固定点を通る垂線をスライダー取付用支持部材に画いてなる構成、又は、屈曲した管体内部の液体に気泡を浮かせてなるものとしている。【選択図】図１
0003148699.tif 000002
【実用新案登録請求の範囲】
【請求項１】
水準器を有し、垂直状態に把持出来るスライダー取付け用支持体に、少なくとも２つの平行して水平方向に摺動自在に突出することを可能にしてスライダーを設け、該スライダーには、支持体からの突出量を確認することを可能にした計測マークを付してなる枕用簡易計測器。
【請求項２】
一端に重錘を垂下した糸条体の他端をスライダー取付用支持部材上の一点に固定し、前記固定点を通る垂線をスライダー取付用支持部材に画いてなる水準器としたことを特徴とする請求項１記載の枕用簡易計測器。
【請求項３】
屈曲した管体内部の液体に気泡を浮かせてなる水準器としたことを特徴とする請求項１記載の枕用簡易計測器。
【考案の詳細な説明】
【技術分野】
【０００１】
本考案は、使用者の頭部及び又は頸部にあった適切な枕を製作し或いは選択するために後頭部及び頸部の高さを計測するための枕用簡易計測器に関する。
【背景技術】
【０００２】
枕等の寝具は就寝時に使用するものであり、就寝時の寝姿勢はそれぞれ個人差が有って画一的に決まるものではなく、また、個々人の好みによっても使用時の快・不快に明確な差を生ずるものである。従って、使用者に合った例えば枕を得たいとするような場合、寝具の上で横になり寝た状態で背中，肩，頸，頭等の位置形状を計測することが行なわれているが、寝た姿勢でこれからの計測を行うことは極めて困難で、通常は立姿勢で計測が行われている（特許文献１）。
【０００３】
その一例をあげると、ガイド部材に複数並列して移動可能にガイドピンをガイド部材の両面に突出するよう支持し、ガイド部材の前面の移動台上に起立した被測定者を、台車ごと前記計測ピンに接近し、被測定者の後頭部，頸部，肩部等をピンに押し当てピンを移動することによってピン集団に人体の形を移し取り、各ピンの移動量を測定することによって、数値的に体形を知ることが出来る。
然し、この装置は機構が複雑で、寝具商品の売場のすべてに備えることに困難性があり、広く各売場に配置することは出来にくいものがあった。
【特許文献１】特開２００６−３３４２９９号公報
【考案の開示】
【考案が解決しようとする課題】
【０００４】
本考案は上記の点に鑑みて、枕を選択購入しようとする際に、個々に微細な差異を有する各個人々々の仰臥時の敷寝具と頭部，敷寝具と後頭部との間隔を、極めて簡便な手段で計測することを可能とすることを目的とし、かつ、この計測器を各寝具売場に配することが出来るようにすることも目的としている。
【課題を解決するための手段】
【０００５】
本考案の枕用簡易計測器は、水準器を有し、使用者が垂直状態に把持出来るスライダー取付け用支持体に、少なくとも２つの平行して水平方向に摺動自在に突出することを可能にしてスライダーを設け、該スライダーには、支持体からの突出量を確認することを可能にした計測マークを付してなるものとしている。
そして、水準器としては、一端に重錘を垂下した糸条体の他端をスライダー取付用支持部材上の一点に固定し、前記固定点を通る垂線をスライダー取付用支持部材に画いてなる構成、又は、屈曲した管体内部の液体に気泡を浮かせてなるものとしている。
【考案の効果】
【０００６】
本考案の枕用簡易計測器は、水準器を設けることによって、垂直状態に把持することが出来るスライダー取付用支持体に、スライダーを水平方向に突出退去出来るよう摺動自在に設けてなるものであり、垂直状態に前記スライダー取付用支持体を被測定者の背に当て、１本のスライダーを後頭部に他方のスライダーを頸部に当てスライダーの変位をスライダー計測マークで知ることにより後頭部及び頸部の高さを容易に知ることが出来る。即ち、片手に持ったスライダー取付用支持体を身体に当てるだけで希望する後頭部と頸部の高さを知ることが出来、従来装置の如き複雑な構成の装置は必要とせず、各小売売場に容易に配布できる。
【考案を実施するための最良の形態】
【０００７】
本考案の枕用簡易計測器の最良の形態につき次に説明する。
【０００８】
図１は、本考案枕用簡易計測器１の一部切除した状態の正面図。図２は、同右側面図。図３は水準器の他の実施例の正面図。
【０００９】
枕用簡易計測器１は、スライダー取付用支持体２，スライダー３，水準器４よりなっている。スライダー取付用支持体２は、図１，２に示すごとく下部に把手部５を有し、その上部にはスライダー支持部６が連続して設けられている。把手部５とスライダー支持部６とは一体に連続して形成されている側面部材７，８の間にスペーサー９ａ，９ｂ，９ｃを介在させて所定厚味の板紙状としたもので、スライダー支持部６に設けるスライダー挿入口１０の数によってスペーサー９の枚数は異なる。図示の例ではスライダー挿入口１０は２箇所に設けられるので、スペーサー９は９ａ，９ｂ，９ｃの３枚とし、スライダー３を挿入する部分を避けて貼り付け、スペーサー９の無い部分はスライダー挿入口１０とする。挿入されたスライダー３は細長短冊状をなし一端に尖頭部１１が設けられ、かつ、頭部或いは頸部の高さを表示することが出来るよう、高低中等の概略の値の表示、或いはスケールの目盛等が計測マーク１２として示されている。
【００１０】
上記短冊状のスライダー３は、スライダー支持部６のスライダー挿入口１０に図１に示す如く挿入される。スライダー挿入口１０の数は、スライダー３の数により適宜変更するが、図示の例では２箇所に設けられている。即ち、上位に位置する１つのスライダー３ｂは計測時後被測定者の頭部１８に接し、寝具と後頭部１８との間隔を知り、下位に位置する他のスライダー３ａは頸部１９と接し頸部１９と寝具との間隔を知るようにしている。この他必要に応じて被測定者の複数部位をスライダー３の数を変化させたスライダー取付用支持体２を用意することも可能である。
【００１１】
スライダー取付用支持体２の側面に前記支持体２が使用中常に垂直に位置するのを確認するために水準器４を取り付ける。図１に示す水準器４は一端に重錘１４を有しスライダー取付用支持体２の固定点１５から同支持体２の側面に垂下されている糸条体１３と後述する垂線１６とよりなり、同支持体２の側面には糸条体固定点１５を通る垂線１６が画かれている。この垂線１６は、支持体２を垂直に立てたときにそれが正確かどうかを知るためのものであって、前記したスライダー３の進退動もこの垂線１６と直交している。
【００１２】
水準器４の他の例として、図３に示す例は、屈曲した透明屈曲管２０に気泡２１を有する液体２２を入れ、気泡２１の位置が透明屈曲管２０の所定の位置にあったときに水準器４が水平垂直を保つようにしたもので、スライダー取付用支持体２の適宜位置に設ける。
【００１３】
本考案装置を使用するときは、図１に示す如く、起立した被測定者１７（枕使用者）の背骨の位置に枕用簡易計測器１の把手部５を当てる。このとき水準器４により測定器１の把手部５が垂直となるように、水準器４の糸条体１３がスライダー取付用支持体２の側面の垂線１６と一致するように把手部５を正確に位置させる。この操作によってスライダー３は水平を保ち、スライダー３を図１で示せば左方向に押し出し、その尖頭部１１を起立している被測定者１７の頭部１８及び頸部１９に当接することによって計測器１と頭部１８或は頸部１９と支持体２の前縁２４との間隔を計測マークで知ることが出来る。
計測マークは高，中，低の概略でも或はスケールの目盛の如く正確な記載でもいずれでも良い。
【００１４】
上記の如くして計測した数値で敷寝具と頭部或は頸部との間の間隔が明らかになるので、その間を埋めることの出来る厚さ（高さ）の枕を適宜選択すれば良いことになる。
【図面の簡単な説明】
【００１５】
【図１】本考案枕用簡易計測器の正面図。
【図２】同右側面図。
【図３】水準器の他の例を示す正面図。
【符号の説明】
【００１６】
１  枕用簡易計測器
２  スライダー取付用支持体
３  スライダー
４  水準器
５  把手部
６  スライダー支持部
７  側面部材
８  側面部材
９ａ，９ｂ，９ｃ  スペーサー
１０  スライダー挿入口
１１  尖頭部
１２  計測マーク
１３  糸条体
１４  重錘
１５  固定点
１６  垂線
１７  被測定者
１８  頭部
１９  頸部
２０  透明屈曲管
２１  気泡
２２  液体
２３  背骨の位置
２４  前縁
【図１】
0003148699.tif 000003
【図２】
0003148699.tif 000004
【図３】
0003148699.tif 000005